(57)【要約】【課題】スーパーマーケットなどの店舗において、混雑時であっても円滑にチェックアウト処理を実行できるようにする。【解決手段】ハンディターミナルは、商品に付されたデータを読み取るデータ読取手段と、データ読取手段により読み取られたデータをもとに、商品情報を読み出す商品情報読出手段と、商品情報読出手段により読み出された商品情報を表示する商品情報表示手段と、商品情報読出手段より読み出された商品情報を無線出力する無線出力手段とを備える。【選択図】図５
2011076320.tif 000002
【特許請求の範囲】
【請求項１】
商品に付されたデータを読み取るデータ読取手段と、
前記データ読取手段により読み取られたデータをもとに、商品情報を読み出す商品情報読出手段と、
前記商品情報読出手段により読み出された商品情報を表示する商品情報表示手段と、
前記商品情報読出手段より読み出された商品情報を無線出力する無線出力手段と、
を備えることを特徴とするハンディターミナル。
【請求項２】
前記商品情報は、購入した商品の合計金額と合計点数の情報を含むことを特徴とする請求項１に記載のハンディターミナル。
【請求項３】
前記表示手段は、前記データ読取手段で読み取られた商品情報を表示する商品表示エリアと購入した商品の合計金額と合計点数を表示する合計情報表示エリアとを備えることを特徴とする請求項１に記載のハンディターミナル。
【請求項４】
前記商品表示エリアは、スクロール表示可能なことを特徴とする請求項３に記載のハンディターミナル。
【請求項５】
ハンディターミナルと、
前記ハンディターミナルの無線出力手段から出力された商品情報を受信する商品情報受信手段を備えた商品登録装置と、
を備えることを特徴とするチェックアウトシステム。
【請求項６】
ハンディターミナルの制御プログラムであって、
前記ハンディターミナルに、
商品に付されたデータを読み取る機能と、
商品情報を読み出す機能と、
商品情報を表示する機能と、
商品情報を無線出力する機能と、
を実現させるための制御プログラム。
【発明の詳細な説明】
【技術分野】
【０００１】
本発明は、ハンディターミナルとＰＯＳ（Point of Sales）端末を利用したチェックアウトシステム及びプログラムに関する。
【背景技術】
【０００２】
スーパーマーケットなどの店舗では、チェックアウト処理、つまり購入される商品の決済処理と商品の顧客への引渡しをおこなうために、ＰＯＳ端末が利用されている。
【発明の概要】
【発明が解決しようとする課題】
【０００３】
しかしながら、特許文献１に記載されたＰＯＳ端末によれば、一台で二列のチェックア
ウトレーンに対応可能ではあるが、混雑時におけるチェックアウト処理の速度を飛躍的に
向上させ得るわけではない。
【０００４】
そこで、本発明は、混雑時であっても円滑にチェックアウト処理を実行できるハンディターミナル、チェックアウトシステム及びその制御プログラムを提供することを目的とする。
【課題を解決するための手段】
【０００５】
上述した課題を解決し、目的を達成するために、本発明のハンディターミナルは、商品に付されたデータを読み取るデータ読取手段と、前記データ読取手段により読み取られたデータをもとに、商品情報を読み出す商品情報読出手段と、前記商品情報読出手段により読み出された商品情報を表示する商品情報表示手段と、前記商品情報読出手段より読み出された商品情報を無線出力する無線出力手段とを備えることを特徴とする。
【０００６】
また、本発明のチェックアウトシステムは、ハンディターミナルと、前記ハンディターミナルの前記無線出力手段から出力された商品情報を受信する商品情報受信手段を備えた商品登録装置とを備えることを特徴とする。
【発明の効果】
【０００７】
本発明によれば、混雑時であっても円滑にチェックアウト処理を実行できるようにすることができる。
【図面の簡単な説明】
【０００８】
【図１】本発明の一実施形態におけるＰＯＳ端末を備えるシステム構成図。
【図２】同実施形態におけるＰＯＳ端末の制御回路を示す模式図。
【図３】同実施形態におけるハンディターミナルの制御回路を示す模式図。
【図４】同実施形態におけるハンディターミナルの表示画面の一例を示す図。
【図５】同実施形態においてハンディターミナルのＣＰＵが実行する処理の流れ図
【図６】同実施形態においてＰＯＳ端末のＣＰＵが実行する処理の流れ図。
【発明を実施するための形態】
【０００９】
以下、本発明を実施するための一実施形態について図面を参照しながら説明する。  
本実施形態は、本発明に係る商品販売データ処理装置をスーパーマーケットやコンビニエンスストア等の商品販売店舗で使用されるセルフチェックアウト方式のＰＯＳ端末１に適用した場合である。
【００１０】
図１は、ＰＯＳ端末１及びハンディターミナル３を備えるネットワークシステムの構成図である。このシステムは、複数のＰＯＳ端末１と上位機器であるストアコントローラ２とを、相互通信可能に接続して構成されている。また、ハンディターミナル３とＰＯＳ端末１は、相互通信可能に構成されている。
【００１１】
ＰＯＳ端末１の制御回路の模式図を図２に示している。ＰＯＳ端末１は、内部に制御の中枢として機能するＣＰＵ２０を備えている。そして、ＣＰＵ２０に、制御プログラム等の固定的データを記憶するＲＯＭ２１、処理場面に応じて各種の作業用記憶領域を形成するＲＡＭ２２、各種のアプリケーションプログラムやデータベースを記憶するＨＤＤ（ハードディスクドライブ）２３、ディスプレイ２４、ハンディターミナル置き台２５、前記ハンディターミナル置き台２５に置かれたハンディターミナルと通信するＰＯＳ用通信ユニット２６、スピーカ２７、金銭の授受をおこなう釣銭機２８、レシート発行手段であるプリンタ２９、スキャナ３０がバスライン３１で接続されている。
【００１２】
図３は、ハンディターミナル３の模式図である。ハンディターミナル３は、内部に制御の中枢として機能するＣＰＵ４０を備えている。そして、ＣＰＵ４０に、制御プログラム等の固定的データを記憶するＲＯＭ４１、処理場面に応じて各種の作業用記憶領域を形成するＲＡＭ４２、ディスプレイ４３、商品コードを読み取るスキャナ４４、キーボード４５、ＰＯＳ端末１と通信するためのハンディターミナル用通信ユニット４６及びバッテリ４７がバスライン４８で接続されている。
【００１３】
図４は、ハンディターミナルの表示画面の一例を示す図である。ハンディターミナル３に搭載されているスキャナ４４により読み取られた商品の商品名、買上点数及び買上金額等を表示するための商品情報表示エリア５０と合計点数や合計金額等の合計情報を表示するための合計情報表示エリア５１とで構成されている。商品表示エリア５０に表示しきれない場合は、スクロール表示を行う。
【００１４】
図５は、ハンディターミナル３による商品登録処理にてＣＰＵ４０が実行する処理の流れ図である。先ず、ハンディターミナル３のスキャナ４４で商品に付されたバーコードを読み取る（ＳＴ１００）。ＣＰＵ４０は、スキャナ４４により読取った商品コードをに対応した商品情報をストアコントローラ１に問い合わせを行い商品情報を取得する（ＳＴ１０１）。取得した商品情報をもとにハンディターミナル３の表示画面の商品情報表示エリア５０に商品名、点数、金額を表示させる（ＳＴ１０２）。また、合計情報表示エリア５１に合計点数と合計金額を表示させる（ＳＴ１０３）。商品登録処理が終了するまで、この処理を繰り返す（ＳＴ１０４）。
【００１５】
図６は、ＰＯＳ端末１による支払処理にてＣＰＵ２０が実行する処理の流れ図である。先ず、ＣＰＵ２０は、ハンディターミナル３がハンディターミナル置き台にセットされたことをセンサ（図示せず）により検知する（ＳＴ１１０）。ハンディターミナル３のハンディターミナル用通信ユニット４６により、ハンディターミナル３に登録されている情報をＰＯＳ端末１のＰＯＳ用通信ユニット２６へ送信する（ＳＴ１１１）。ＰＯＳ端末１は、受信した情報をＰＯＳ端末１のディスプレイ２４へ表示する（ＳＴ１１２）。その後、決済処理を行い（ＳＴ１１３）、ハンディターミナル３のＲＡＭ４２に記憶されれいる情報をクリアして（ＳＴ１１４）チェックアウト処理を終了する。
【００１６】
以上説明したように、ハンディターミナル３は、商品に付されたデータを読み取るデータ読取手段と、前記データ読取手段により読み取られたデータをもとに、商品情報を読み出す商品情報読出手段と、前記商品情報読出手段により読み出された商品情報を表示する商品情報表示手段と、前記商品情報読出手段より読み出された商品情報を無線出力する無線出力手段とを備えることにより、商品登録が買い物中に可能となる。またＰＯＳ端末１では、ハンディターミナル３に登録された情報を受信するだけでチェックアウト処理ができるため、混雑時であっても円滑にチェックアウト処理を実行できるようにすることができる。
【符号の説明】
【００１７】
１…ＰＯＳ端末、２…ストアコントローラ、３…ハンディターミナル、２５…ハンディターミナル置き台、２６…ＰＯＳ用通信ユニット、４６…ハンディターミナル用通信ユニット
【先行技術文献】
【特許文献】
【００１８】
【特許文献１】特開平１０−１２４７５３号公報
【図１】
2011076320.tif 000003
【図２】
2011076320.tif 000004
【図３】
2011076320.tif 000005
【図４】
2011076320.tif 000006
【図５】
2011076320.tif 000007
【図６】
2011076320.tif 000008